(57)【要約】      （修正有）【課題】緩衝材のずれを確実に防止することができる表示装置を提供することを目的とする。【解決手段】表示装置は、表示パネル３と、該表示パネル３の周縁部を支持する枠型のパネルシャーシ６と、該パネルシャーシ６と前記表示パネル３との間に介在させた緩衝材７とを備える。表示装置は、前記パネルシャーシ６の前記緩衝材７と当接する面には、複数の突条６１が形成してある。この構成により緩衝材７のずれを確実に防止することができる。【選択図】図３
2019066503.tif 000002
【特許請求の範囲】
【請求項１】
表示パネルと、
該表示パネルの周縁部を支持する枠型のパネルシャーシと、
該パネルシャーシと前記表示パネルとの間に介在させた緩衝材と
を備える表示装置において、
前記パネルシャーシの前記緩衝材と当接する面には、複数の突条が形成してある
ことを特徴とする表示装置。
【請求項２】
前記複数の突条は、前記パネルシャーシの前記緩衝材と当接する面の全周に亘って形成してある
ことを特徴とする請求項１に記載の表示装置。
【請求項３】
前記複数の突条夫々の大きさは、略同じにしてある
ことを特徴とする請求項１又は請求項２に記載の表示装置。
【請求項４】
前記複数の突条の高さは、前記緩衝材の肉厚の２０％以下である
ことを特徴とする請求項１から請求項３のいずれか一つに記載の表示装置。
【請求項５】
前記緩衝材と、前記表示パネル又は前記パネルシャーシとを接着する両面テープを備えてある
ことを特徴とする請求項１から請求項４のいずれか一つに記載の表示装置。
【請求項６】
前記両面テープは、前記緩衝材と前記パネルシャーシとの間に設けられ、
前記両面テープの前記パネルシャーシの突条の先端に対応する位置には、スリットが形成してある
ことを特徴とする請求項５に記載の表示装置。
【請求項７】
前記緩衝材の前記表示パネル側の面には、前記表示パネルに向かって突設され、前記表示パネルの側端を当接することによって、前記緩衝材の移動を規制する規制部が形成してある
ことを特徴とする請求項１から請求項６のいずれか一つに記載の表示装置。
【請求項８】
請求項１から請求項７のいずれか１つに記載の表示装置と、
テレビジョン放送を受信する受信部と
を備え、
前記受信部で受信したテレビジョン放送に基づいて前記表示パネルに画像を表示するようにしてあることを特徴とするテレビジョン受信機。
【発明の詳細な説明】
【技術分野】
【０００１】
本発明は、表示装置及びテレビジョン受信機に関する。
【背景技術】
【０００２】
近年、画像を表示する表示装置として、液晶表示装置が広く普及している。液晶表示装置は表示パネルとして液晶パネルを備え、液晶パネルの背面側にバックライトを配置し、バックライトからの照射光を液晶パネルにより変調して透過させ、液晶パネルの正面に画像を表示するように構成されている。
【０００３】
液晶パネルは、周縁部をパネルシャーシによって支持されている。液晶パネルとパネルシャーシとの間には、緩衝材が設けられている（例えば、特許文献１参照）。緩衝材は、
輸送時等の衝撃を緩和し、液晶パネルとパネルシャーシとが接触して破損することを防止している。緩衝材は、バックライトからの照射光が、表示パネルの周縁から外側に漏れること（光漏れ現象）を防止するようにしてある。特許文献１の液晶表示装置の緩衝材にはパネルシャーシに設けられた一つの突起が押し当てられて、緩衝材の位置がずれることを防止している。
【先行技術文献】
【特許文献】
【０００４】
【特許文献１】特開２０１５−１９０９９４号公報
【発明の概要】
【発明が解決しようとする課題】
【０００５】
しかしながら、特許文献１の突起では、緩衝材の位置ずれを防止することは不十分であり、位置ずれの防止を十分にするために突起の高さを大きくすると、緩衝材が破断するおそれが発生するという問題点がある。また、突起の高さに対応するために緩衝材に凹部を形成し、組み立て時に突起と凹部との位置合わせを行う必要があるため、製造工程が増加するという問題点がある。
【０００６】
本発明は、斯かる事情に鑑みてなされたものであり、緩衝材のずれを確実に防止することができる表示装置を提供することを目的とする。
【課題を解決するための手段】
【０００７】
本開示の実施形態に係る表示装置は、表示パネルと、該表示パネルの周縁部を支持する枠型のパネルシャーシと、該パネルシャーシと前記表示パネルとの間に介在させた緩衝材とを備える表示装置において、前記パネルシャーシの前記緩衝材と当接する面には、複数の突条が形成してあることを特徴とする。
【発明の効果】
【０００８】
本発明によれば、緩衝材のずれを確実に防止することができる表示装置等を提供することができる。
【図面の簡単な説明】
【０００９】
【図１】実施形態１に係る表示装置を略示する斜視図である。
【図２】表示装置の内部構造を略示する分解図である。
【図３】実施形態１に係る表示装置の要部を略示する側断面図である。
【図４】パネルシャーシを略示する斜視図である。
【図５】実施形態２に係るパネルシャーシ及び緩衝材の一構成例を略示する分解斜視図である。
【図６】両面テープにより接着した状態の要部を略示する断面図である。
【発明を実施するための形態】
【００１０】
（実施形態１）
図１は、実施形態１に係る表示装置を略示する斜視図である。図２は、表示装置の内部構造を略示する分解図である。表示装置１は、画像表示用の表示パネルとして液晶パネル３と該液晶パネル３に光を照射するバックライト４を備えた液晶表示装置である。
【００１１】
液晶パネル３は、ガラス基板間に液晶を封入した構成であり、矩形板状をなし、正面に画像を表示する表示部を備えている。液晶パネル３の正面側の縁部は、断面Ｌ字状の枠型のフロントキャビネット２によって覆われている。フロントキャビネット２は、樹脂製又はアルミニウム等の金属製である。液晶パネル３の背面側は、バックライト４の外筐を構成するバックライトシャーシ４１により覆われている。バックライトシャーシ４１は、フロントキャビネット２の背面側に後述のとおり組付けられ表示装置１の外装体を構成している。
【００１２】
図１に示す表示装置１は、受信部１３及び信号処理部１４を備えるテレビジョン受信機として構成されている。受信部１３は、図示しないアンテナに接続され、該アンテナを介してテレビジョン放送を受信する。信号処理部１４は、受信部１３が受信したテレビジョン放送に係るデータを復調し、復調したデータから画像データを分離し、分離した画像データを出力する。液晶パネル３は、信号処理部１４が出力した画像データに基づく画像を表示する。
【００１３】
表示装置１は、脚９を備えている。表示装置１は、脚９で支えられて平坦な台上に載置され、液晶パネル３の表示面を縦姿勢に保って使用される。以下の説明においては、液晶パネル３の表示部側を前、他側を後とする。また、以下の説明において使用する上、下は、前述した使用状態での上、下に対応し、同じく左、右は、使用状態において前側から見て左、右に対応する。
【００１４】
図２に示すごとく、液晶パネル３の前側には、フロントキャビネット２が設けられ、後側には、緩衝材７、光学シート群５、パネルシャーシ６、導光板４２、バックライトシャーシ４１が、この順番で設けられている。
【００１５】
緩衝材７は、液晶パネル３の周縁に沿って上下左右の夫々の縁に配され、これら４辺によって枠型を形成する。上下左右の縁に配された緩衝材７夫々は、断面矩形の長寸短冊状をなす。緩衝材７は、例えばポロン（登録商標）等の高密度ウレタンフォームである。緩衝材７は、遮光性を有している。
【００１６】
光学シート群５は、例えば２枚のマイクロレンズシートと１枚の輝度向上シートとで構成され、液晶パネル３よりも若干小さい矩形をなす。
【００１７】
パネルシャーシ６は、緩衝材７と同様に液晶パネル３の周縁に沿って上下左右の夫々の縁に配された４辺によって断面Ｌ字状の枠型をなす。パネルシャーシ６は、例えば樹脂製である。
【００１８】
バックライト４は、バックライトシャーシ４１の内部に導光板４２を備えている。バックライトシャーシ４１は、矩形の底板の周縁を略垂直に立ち上げて短寸の側壁を周設し、浅底皿形に成形された金属製の筐体である。
【００１９】
導光板４２は、ガラス製、又はアクリル樹脂等の透光性を有する樹脂製の平板であり、矩形に成形され、一面（後面）に反射シート４３を被着した光学部材である。導光板４２は、反射シート４３の被着面（後面）を、バックライトシャーシ４１の底板の側に向け、該底板の略全面を覆うようにバックライトシャーシ４１に収容されている。
【００２０】
図３は、実施形態１に係る液晶表示装置の要部を略示する側断面図である。導光板４２の前面側には、緩衝材１１を介在させてパネルシャーシ６が配してある。パネルシャーシの前面側には、緩衝材７を介在させて液晶パネル３が配してある。緩衝材７は、液晶パネル３の周縁部に設けられた遮光部材３１（ブラックマトリックス）と少なくとも一部が重なるように介在してある。液晶パネル３の前面側には、緩衝材１０を介在させてフロントキャビネット２が配してある。液晶パネル３は、前面側よりフロントキャビネット２によって周縁を覆われている。
【００２１】
フロントキャビネット２及びパネルシャーシ６の上下左右の側面夫々には、ネジ通し孔が形成されている。バックライトシャーシ４１の側壁には、ネジ孔が設けられている。外側からフロントキャビネット２、パネルシャーシ６及びバックライトシャーシ４１をこの順番で重ね、フロントキャビネット２及びパネルシャーシ６のネジ通し孔夫々をバックライトシャーシ４１のネジ孔に位置合わせし、ネジ８によってネジ止めして固定してある。
【００２２】
フロントキャビネット２、パネルシャーシ６及びバックライトシャーシ４１をネジ止めして固定することによって、パネルシャーシ６及びフロントキャビネット２は、液晶パネル３を挟持する。また、パネルシャーシ６及びバックライトシャーシ４１は、導光板４２を挟持する。液晶パネル３とパネルシャーシ６との間に介在されている緩衝材７は、液晶パネル３とパネルシャーシ６によって押圧され圧縮されている。
【００２３】
図４は、パネルシャーシ６を略示する斜視図である。パネルシャーシ６の緩衝材７と当接する面には、半円状の４つの突条６１が、全周に亘って形成されている。複数の突条６１夫々の大きさ、すなわち半円の直径は、略同じに設定してあることが望ましい。なお、複数の突条６１は、全周に亘って形成されている態様に限定されず、断続的に形成されている態様や、枠の角部及び角部の近傍等のみに形成されている態様であってもよい。また、複数の突条６１の形状は、半円状に限定されず、矩形や三角形であってもよい。
【００２４】
突条６１の高さ（半円状の突条６１の半径）は、パネルシャーシ６と液晶パネル３との間に介在され圧縮されている状態での緩衝材７の肉厚の２０％以下に設定してある。パネルシャーシ６と液晶パネル３との間に介在され圧縮されている状態での緩衝材７の厚みは、例えば２ｍｍである。緩衝材７の幅は、例えば１４ｍｍである。半円状の突条６１の高さ（半円の半径）は、例えば０．２ｍｍである。突条６１の個数は、４つに限定されず、緩衝材７の幅及び突条６１の大きさ（突条６１が半円状の場合、半円の半径）に応じて適宜決定することができる。
【００２５】
突条６１が形成された面には、液晶パネル３に向かって突設された凸状の規制部６２が設けられている。規制部６２の内壁面には、緩衝材７の外側の側面が当接してあり、規制部６２によって、緩衝材７が外側に移動、すなわちずれることを規制している。パネルシャーシ６は、突条６１が形成された面から段落ちされた面を有し、この段落ちされた面と液晶パネル３の後側面との間には、光学シート群５を配するための隙間が形成されている。
【００２６】
バックライト４は、ＬＥＤ及び一面にＬＥＤを実装した光源基板を備え、光源基板は、ＬＥＤの実装面を導光板４２の下縁に対向させて設けられている。バックライト４からの照射光は、光学シート群５により拡散されて液晶パネル３の背面に照射され、液晶パネル３は、バックライト４からの照射光を内部に封入した液晶の駆動により変調して透過させ画像を表示する。液晶パネル３の背面に照射された照射光は、緩衝材７及び遮光部材３１によって遮光されるため、液晶パネル３の側縁近傍から漏れ出す虞はない。
【００２７】
パネルシャーシ６の緩衝材７に当接する面には、複数の突条６１が形成してあるので、緩衝材７がずれることを確実に防止することができる。また、複数の突条６１を形成することによって、突条６１夫々の大きさを小さくすることができ、緩衝材７が破断することを防止することができる。
【００２８】
複数の突条６１の大きさ、すなわち突条６１の高さは、略同じにしてあるので、緩衝材７に発生する応力を略均等に分散させ、緩衝材７がずれることを確実に防止することができる。
【００２９】
複数の突条６１の高さを、液晶パネル３とパネルシャーシ６との間に介在された状態の緩衝材７の肉厚の２０％以下とすることで、突条６１の先端と液晶パネル３との間の緩衝材７の厚みを十分に確保し、液晶パネル３とパネルシャーシ６の衝撃を緩和することができる。
【００３０】
（実施形態２）
図５は、実施形態２に係るパネルシャーシ及び緩衝材の一構成例を略示する分解斜視図である。図６は、両面テープにより接着した状態の要部を略示する断面図である。
【００３１】
図５に示すごとく、パネルシャーシ６と緩衝材７とは、長寸短冊状の両面テープ１２によって、接着される。両面テープ１２の幅及び長さの寸法は、緩衝材７のパネルシャーシ６に対向する面の幅及び長さと略同じに設定してある。両面テープ１２には、パネルシャーシ６の突条６１夫々の先端に対応したスリット１２１が、設けられている。スリット１２１は、長手方向の両端部の近傍を除き、両面テープ１２の長手方向に亘って形成してある。
【００３２】
両面テープ１２は、緩衝材７の一面（パネルシャーシ６に対向する面）に貼付された後、緩衝材７の一面にパネルシャーシ６の突条６１を押し付けることによって、スリット１２１夫々は押し広げられ、緩衝材７とパネルシャーシ６とは接着固定される。図６に示すごとく、突条６１の先端には、スリット１２１が位置し、突条６１の先端を除いた残部と緩衝材７とが両面テープ１２の接着面によって接着固定される。両面テープ１２にパネルシャーシ６の突条６１に対応したスリット１２１を設けることによって、両面テープ１２が伸びる又はずれることを抑制し、確実に緩衝材７とパネルシャーシ６とを接着することができる。なお、緩衝材７とパネルシャーシ６との接着は、これに限定されず、接着剤を緩衝材７又はパネルシャーシ６に塗布して接着してもよい。
【００３３】
本開示の実施形態に係る表示装置１は、表示パネル３と、該表示パネル３の周縁部を支持する枠型のパネルシャーシ６と、該パネルシャーシ６と前記表示パネル３との間に介在させた緩衝材７とを備える表示装置１において、前記パネルシャーシ６の前記緩衝材７と当接する面には、複数の突条６１が形成してあることを特徴とする。
【００３４】
本実施形態においては、枠型のパネルシャーシ６の緩衝材７と当接する面には、複数の突条６１が形成してあるので、緩衝材７に溝を形成することを不要とし、緩衝材７のずれを確実に防止することができる。
【００３５】
本開示の実施形態に係る表示装置１は、前記複数の突条６１は、前記パネルシャーシ６の前記緩衝材７と当接する面の全周に亘って形成してあることを特徴とする。
【００３６】
本実施形態においては、枠型のパネルシャーシ６の緩衝材７と当接する面には、複数の突条６１が全周に亘って形成してあるので、緩衝材７のずれを更に確実に防止することができる。
【００３７】
本開示の実施形態に係る表示装置１は、前記複数の突条６１夫々の大きさは、略同じにしてあることを特徴とする。
【００３８】
本実施形態においては、複数の突条６１夫々の大きさは、略同じにしてあるので、緩衝材７に発生する剪断応力を略均等に分散し、緩衝材７が破断することを防止することができる。
【００３９】
本開示の実施形態に係る表示装置１は、前記複数の突条６１の高さは、前記緩衝材７の肉厚の２０％以下であることを特徴とする。
【００４０】
本実施形態においては、パネルシャーシ６の複数の突条６１の高さは、緩衝材７の肉厚の２０％以下に設定してあるので、表示パネル３とパネルシャーシ６との間に緩衝材７を設けた状態において、突条６１の先端と表示パネル３との間の緩衝材７の厚みを十分に確保し、表示パネル３及びパネルシャーシ６の衝撃を緩和することができる。
【００４１】
本開示の実施形態に係る表示装置１は、前記緩衝材７と、前記表示パネル３又は前記パネルシャーシ６とを接着する両面テープ１２を備えてあることを特徴とする。
【００４２】
本実施形態においては、緩衝材７と、表示パネル３又はパネルシャーシ６とを接着する両面テープ１２を備えてあるので、緩衝材７と、表示パネル３又はパネルシャーシ６とを仮止めし、製造工程における位置合わせを効率化することができる。
【００４３】
本開示の実施形態に係る表示装置１は、前記両面テープ１２は、前記緩衝材７と前記パネルシャーシ６との間に設けられ、前記両面テープ１２の前記パネルシャーシ６の突条６１の先端に対応する位置には、スリット１２１が形成してあることを特徴とする。
【００４４】
本実施形態においては、緩衝材７とパネルシャーシ６とを接着する両面テープ１２には、パネルシャーシ６の突条６１の先端に対応する位置にスリット１２１が形成してあるので、パネルシャーシ６の突条６１を緩衝材７に押し付けた際、スリット１２１は押し広げられて、緩衝材７及びパネルシャーシ６は接着される。従ってパネルシャーシ６の突条６１と緩衝材７の間において、両面テープ１２が伸びる又は、ずれることを抑制し、確実に緩衝材７とパネルシャーシ６とを接着することができる。
【００４５】
本開示の実施形態に係る表示装置１は、前記緩衝材７の前記表示パネル３側の面には、前記表示パネル３に向かって突設され、前記表示パネル３の側端を当接することによって、前記緩衝材７の移動を規制する規制部６２が形成してあることを特徴とする。
【００４６】
本実施形態においては、緩衝材７の表示パネル３側の面には、表示パネル３に向かって突設され、表示パネル３の側端を当接することによって、緩衝材７の移動を規制する規制部６２を形成することによって、表示パネル３側からも緩衝材７のずれを防止することができる。従って、緩衝材７のずれをより確実に防止することができる。
【００４７】
本開示の実施形態に係る表示装置１は、本開示の実施形態に係る表示装置１と、テレビジョン放送を受信する受信部１３とを備え、前記受信部１３で受信したテレビジョン放送に基づいて前記表示パネル３に画像を表示するようにしてあることを特徴とする。
【００４８】
本実施形態においては、上述の表示装置１を用いることにより、簡易な構成で緩衝材７のずれを抑制することができるテレビジョン受信機を提供することができる。
【００４９】
今回開示された実施形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【００５０】
１  表示装置
２  フロントキャビネット
３  液晶パネル（表示パネル）
３１  遮光部材
４  バックライト
４１  バックライトシャーシ
４２  導光板
４３  反射シート
５  光学シート群
６  パネルシャーシ
６１  突条
６２  規制部
７  緩衝材
８  ネジ
９  脚
１０  緩衝材
１１  緩衝材
１２  両面テープ
１２１  スリット
１３  受信部
１４  信号処理部
【図１】
2019066503.tif 000003
【図２】
2019066503.tif 000004
【図３】
2019066503.tif 000005
【図４】
2019066503.tif 000006
【図５】
2019066503.tif 000007
【図６】
2019066503.tif 000008